(57)【要約】【課題】比較的少ない風量で効率良く換気することができ、吸込口に油分などが貯留し難く、清掃やメンテナンスも容易な換気装置を提供する。【解決手段】換気装置１０は、建築物１１内に配置された電磁調理器１２正面の壁体１３に開設された二つの吸込口１４と連通する排気経路と、排気経路の下流に配置された排気装置と、を備えている。二つの吸込口１４の正面視形状はいずれも縦長の長方形状であり、水平方向に距離を隔てて互いに平行をなすように配置されている。二つの吸込口１４は正面視形状が長方形の正面パネル１８に開設され、この正面パネル１８は、排気経路と連通した状態で壁体１３に設けられた正面視形状が長方形状の開口部１９内に内接状態で着脱可能に取り付けられている。【選択図】図１
2008051441.tif 000002
【特許請求の範囲】
【請求項１】
建築物内に配置された調理器周辺に開設された吸込口と連通する排気経路と、前記排気経路の下流に配置された排気装置と、を備え、前記吸込口の正面視形状を縦長形状としたことを特徴とする換気装置。
【請求項２】
前記吸込口を、前記調理器に臨む領域内の水平方向に並ぶ複数箇所に開設した請求項１記載の換気装置。
【請求項３】
前記吸込口の下縁部を、前記調理器上面から０〜４００ｍｍの高さに設けた請求項１または２記載の換気装置。
【請求項４】
前記吸込口の正面視形状の最大垂直サイズと最大水平サイズとの比を２０：１〜５：１とした請求項１〜３のいずれかに記載の換気装置。
【請求項５】
建築物内に配置された調理器周辺に開設された吸込口と連通する排気経路と、前記排気経路の下流に配置された排気装置とを備え、前記吸込口を、縦方向に並ぶ複数の吸込開口に区画するとともに、前記吸込開口に調理排気を誘導するガイド部材を設けたことを特徴とする換気装置。
【請求項６】
複数の前記吸込開口のうちの下部吸込開口への調理排気の吸込角度が上部吸込開口への調理排気の吸込角度より鉛直に近い角度となるように複数の前記ガイド部材を配置した請求項５記載の換気装置。
【請求項７】
前記下部吸込開口に設けた前記ガイド部材の傾斜角度を２０度〜５０度とし、前記上部吸込開口に設けた前記ガイド部材の傾斜角度を４５度〜８０度とした請求項６記載の換気装置。
【発明の詳細な説明】
【技術分野】
【０００１】
本発明は、一般住宅のキッチンや飲食店の厨房などにおいて使用される換気装置に関する。
【背景技術】
【０００２】
一般住宅のキッチンなどに配備されている加熱調理器（例えば、電磁調理器）において調理を行っているときに発生する煙や蒸気などを屋外へ排出する換気装置は、従来、様々な方式が開発されているが、調理器周辺の壁体内に吸引ファンを埋め込んだもの（例えば、特許文献１参照。）や、調理器周辺の壁体に設けた排気口から屋外へダクトを延設し、ダクトの下流開口部付近に換気扇を配置したもの（例えば、特許文献２参照。）などがある。
【０００３】
特許文献１記載の換気装置（組込型吸引フード）においては、調理器に臨む壁面に、スリット状の吸込口が四角形を成すように配置されており、ベンチュリ効果を利用して吸込風速を高めることにより、排気効率を向上させたものである。また、特許文献２記載の換気装置（調理用排気装置）においては、排気口に接続するダクトが外壁に沿って下向きに配置され、排気口に金属製放熱桟が配列されている。
【０００４】
【特許文献１】特開２００４−３８２８号公報
【特許文献２】特開昭６１−２０２０３２号公報
【発明の開示】
【発明が解決しようとする課題】
【０００５】
特許文献１記載の換気装置（組込型吸引フード）の場合、煙や蒸気を吸い込むために開設されたスリットは、排気効率を向上させるために非常に細い形状をしている。このため、煙や蒸気によってスリットが汚れたり、スリット内に油分が溜まったりし易い。ところが、前述したように、スリットは非常に細い形状をしているため、清掃がし難い。
【０００６】
一方、特許文献２記載の換気装置（調理用排気装置）の場合、調理器周辺の垂直壁に横方向に大きく開口した排気口が設けられているため、調理中に発生する油煙を、送風機で発生する空気流により屋外へ排出することができる。しかしながら、所定の空気流を発生させるには大型の送風機が必要であるため、装置自体の大型化、消費電力の増大を招きがちである。また、排気口が横方向に広く開口しているため、運転中に発生する横風などで油煙が靡くことがあり、排気効率が低下することがある。
【０００７】
本発明が解決しようとする課題は、比較的少ない風量で効率良く換気することができ、吸込口に油分などが貯留し難く、清掃やメンテナンスも容易な換気装置を提供することにある。
【課題を解決するための手段】
【０００８】
本発明の換気装置は、建築物内に配置された調理器周辺に開設された吸込口と連通する排気経路と、前記排気経路の下流に配置された排気装置と、を備え、前記吸込口の正面視形状を縦長形状としたことを特徴とする。ここで、縦長形状とは、縦長の長方形状、縦長の長円形状および縦長の楕円形状などを含む広い概念である。
【０００９】
このような構成とすれば、縦長形状をした吸込口の吸込作用が及ぶ領域を、垂直方向に広く確保することができるため、上昇しながら拡散する性質を有する調理排気を比較的少ない風量で効率良く換気することができる。また、吸込口へ吸い込まれた調理排気は排気経路の下流に配置された排気装置によって速やかに排出されるため、吸込口に油分などが貯留し難く、吸込口は縦長形状をした簡素な構造であるため、清掃やメンテナンスも容易である。また、吸込口が縦長形状であるため、人の移動やドアの開閉などに起因する異方向からの風などによって調理排気が靡いた場合でも、効率良く屋外へ排出することができる。
【００１０】
ここで、前記吸込口を、前記調理器に臨む領域内の水平方向に並ぶ複数箇所に開設すれば、吸込口の吸込作用が及ぶ領域を水平方向にも広く確保することができるため、調理排気を効率良く換気することができ、換気性能が向上する。この場合、吸込口は調理器の加熱部分（鍋やフライパンなどを載置する部分）に対応する位置に設けることが望ましく、これにより、鍋やフライパンなどから発生する調理排気を速やかに吸い込むことができるようになる。
【００１１】
一方、前記吸込口の下縁部を、前記調理器上面から０〜４００ｍｍの高さに設ければ、吸込口の下縁部が調理器上面に載置された鍋やフライパンなどの調理排気の発生部分に近づくこととなるため、発生する調理排気を漏れなく吸い込むことが可能となり、人の移動やドアの開閉などに起因する異方向からの風などによる靡きの影響も最小限に抑えることができる。なお、調理器上面から吸込口の下縁部までの距離が４００ｍｍより大きい場合は、調理排気が吸込口に向かう途中で室内へ拡散して吸込口から離れるので、人の移動やドアの開閉などに起因する異方向からの風などによる靡きの影響を受けやすくなる傾向が生じる。このため、前記範囲が好適である。
【００１２】
また、前記吸込口の正面視形状の最大垂直サイズと最大水平サイズとの比を２０：１〜５：１とすれば、吸込口の吸込作用が及ぶ領域を垂直方向に広く確保することができ、上昇しながら拡散する性質を有する調理排気を発生部分に近い場所を含む領域から比較的少ない風量で速やかに効率良く換気することができる。また、人の移動やドアの開閉などに起因する異方向からの風などによる悪影響も回避することができる。
【００１３】
なお、吸込口の正面視形状の最大垂直サイズと最大水平サイズとの比が２０：１から外れると、吸込口は非常に細長い形状となるため、吸込音が増大し、清掃がし難くなる。また、調理排気によって汚れたり、内部へ油が溜まったりし易くなる。さらに、吸込口が縦長となるので、縦方向の寸法を大きくとる必要があり、装置の大型化、施工性の悪化を招来する。一方、最大垂直サイズと最大水平サイズとの比が５：１から外れると、吸込口の吸込作用が及ぶ領域を垂直方向に広く確保することができず、調理排気を発生部分に近い場所を含む領域から速やかに効率良く吸い込むことができなくなる。従って、吸込口の正面視形状の最大垂直サイズと最大水平サイズとの比は前述した範囲内が好適である。
【００１４】
次に、本発明の換気装置は、建築物内に配置された調理器周辺に開設された吸込口と連通する排気経路と、前記排気経路の下流に配置された排気装置とを備え、前記吸込口を、縦方向に並ぶ複数の吸込開口に区画するとともに、前記吸込開口に調理排気を誘導するガイド部材を設けたことを特徴とする。
【００１５】
このような構成とすれば、吸込口の吸込作用が及ぶ領域に進入してきた調理排気の上昇をガイド部材で抑制しながら、複数の吸込開口のいずれかへ誘引することが可能となるため、上昇しながら拡散する性質を有する調理排気を比較的少ない風量で効率良く換気することができる。また、吸込口へ吸い込まれた調理排気は排気経路の下流に配置された排気装置によって速やかに排出されるため、吸込口に油分などが貯留し難く、清掃やメンテナンスも容易である。また、人の移動やドアの開閉などに起因する異方向からの風などによる調理排気の靡きの影響も回避することができるため、排気効率の向上を図ることができる。
【００１６】
ここで、複数の前記吸込開口のうちの下部吸込開口への調理排気の吸込角度が上部吸込開口への調理排気の吸込角度より鉛直に近い角度となるように複数の前記ガイド部材を配置すれば、調理器具から発生した直後の調理排気を、上昇拡散する前に、下部吸込開口へ速やかに誘導することができるため、比較的少ない風量で効率良く換気することができ、換気効率がさらに向上する。また、人の移動やドアの開閉などに起因する異方向からの風などによる調理排気の靡きの影響を抑制することができる。
【００１７】
また、前記下部吸込開口に設けた前記ガイド部材の傾斜角度を２０度〜５０度とし、前記上部吸込開口に設けた前記ガイド部材の傾斜角度を４５度〜８０度することができる。ここで、ガイド部材の傾斜角度とは、それぞれの吸込開口の開口面とガイド部材との成す角度をいう。
【００１８】
このような構成とすれば、下部吸込開口の吸込作用が及ぶ領域が上部吸込開口の吸込作用が及ぶ領域より広がるため、調理器具から発生した直後の調理排気の大部分を下部吸込口から吸い込むことができる。従って、人の移動やドアの開閉などに起因する異方向からの風などによる調理排気の靡きの影響が抑制され、さらに優れた換気効率が得られる。
【００１９】
なお、前記下部吸込開口に設けた前記ガイド部材の傾斜角度が２０度より小さくなると下部吸込口から吸い込む調理排気量が減少し、その分調理排気が室内に拡散する傾向が生じ、５０度より大きくなると調理排気を吸込口に誘導する効果が減少し、人の移動やドアの開閉などに起因する異方向からの風による靡きの影響を受けやすくなったり、調理排気が室内に拡散したりする傾向が生じる。また、前記上部吸込開口に設けた前記ガイド部材の傾斜角度が４５度より小さくなると下部吸込開口から逸れた調理排気を吸込口にうまく誘導できず、上部吸込口から吸い込む調理排気量が減少して室内に拡散する傾向が生じ、８０度より大きくなると調理排気を吸込口に誘導する効果が減少し、下部吸込開口から逸れた調理排気がそのまま室内に拡散する傾向が生じる。従って、下部吸込開口に設けたガイド部材の傾斜角度および上部吸込開口に設けたガイド部材の傾斜角度はそれぞれ前記範囲内が好適である。
【発明の効果】
【００２０】
本発明により、比較的少ない風量で効率良く換気することができ、吸込口に油分などが貯留し難く、清掃やメンテナンスも容易な換気装置を提供することができる。
【発明を実施するための最良の形態】
【００２１】
以下、図面に基づいて、本発明の実施の形態について説明する。図１は本発明の第１実施形態である換気装置を示す正面図、図２は図１におけるＡ−Ａ線断面図、図３は図１に示す換気装置の使用状態を示す正面図、図４は図３に示す換気装置の一部拡大図、図５は図１に示す換気装置の使用状態を示す垂直断面図である。
【００２２】
図１，図２に示すように、本実施形態の換気装置１０は、建築物１１内に配置された電磁調理器１２正面の壁体１３に開設された二つの吸込口１４と連通する排気経路１５と、排気経路１５の下流に配置された排気装置１６と、を備えている。図１に示すように、二つの吸込口１４の正面視形状はいずれも縦長の長方形状であり、水平方向に距離を隔てて互いに平行をなす状態で配置されている。本実施形態では、吸込口１４の縦方向の開口寸法（垂直サイズ）を３２０ｍｍ、横方向の開口寸法（水平サイズ）を２０ｍｍとし、２つの吸込口１４の間隔を、電磁調理器１２の加熱部分の間隔に対応した２８０ｍｍ程度としているが、これに限定するものではない。
【００２３】
吸込口１４の正面視形状は縦長の長方形状であるため、吸込口１４の吸込作用が及ぶ領域を垂直方向に広く確保することができる。このため、図５に示すように、電磁調理器１２上で使用中の調理器具１７から発生し、上昇しながら拡散する性質を有する調理排気Ｓを発生部分に近い場所を含む領域から速やかに吸込口１４に吸い込むことが可能である。また、人の移動やドアの開閉などに起因する異方向からの風などで調理排気が靡いても、比較的少ない風量で効率良く換気することができる。
【００２４】
また、吸込口１４へ吸い込まれた調理排気Ｓは排気経路１５の下流に配置された排気装置１６によって速やかに建築物１１の外へ排出されるため、吸込口１４に油分などが貯留し難い。さらに、吸込口１４は縦長の長方形状をした簡素な構造であるため、清掃やメンテナンスも容易である。
【００２５】
また、二つの吸込口１４は電磁調理器１２に臨む領域である壁体１３に、水平方向に並べて配置されているため、これらの吸込口１４の吸込作用が及ぶ領域を水平方向にも広く確保することができる。したがって、図３に示すように、電磁調理器１２上の調理器具１７から発生する調理排気Ｓを効率良く換気することができ、優れた換気性能を発揮する。
【００２６】
一方、図４に示すように、電磁調理器１２の上面１２ａから吸込口１４の下縁部１４ｂまでの高さＴを約２２０ｍｍとしているため、電磁調理器１２上に載置して使用される調理器具１７から発生する調理排気Ｓを漏れなく吸い込むことができる。
【００２７】
また、図４に示すように、吸込口１４の最大垂直サイズ１４ｖと最大水平サイズ１４ｈとの比率（縦横比）を約１６：１としているため、発生後、上昇しながら拡散する性質を有する調理排気Ｓを、比較的少ない風量で、発生場所から近い部分を含む縦長の領域において効率良く換気することができる。
【００２８】
本実施形態の換気装置１０においては、図３，図５に示すように、二つの吸込口１４は正面視形状が長方形の正面パネル１８に開設され、この正面パネル１８は、排気経路１５と連通した状態で壁体１３に設けられた正面視形状が長方形の開口部１９内に内接状態で着脱可能に取り付けられている。従って、正面パネル１８を開口部１９から取り外し、正面パネル１８の裏面や開口部１９内の清掃やメンテナンスなどを行うことが可能であり、作業性も良好である。
【００２９】
次に、図６に基づいて本発明の第２実施形態について説明する。図６は第２実施形態である換気装置の使用状態を示す垂直断面図である。なお、図６において図１〜図５に示す符号と同じ符号を付している部分は、前述した換気装置１０の構成部分と同じ構造、機能を有する部分であり、説明を省略する。
【００３０】
図６に示す換気装置１０ｘにおいては、建築物内に配置された電磁調理器１２正面の壁体１３ｘに開設された二つの吸込口１４と連通する排気経路１５ｘが壁体１３ｘの下方に向かって配設され、この排気経路１５の下流に排気装置１６が配置されている。このような構成とすることにより第１実施形態に比べるとダクト長が短くなるので施工を簡素化することができる。また、排気装置１６の位置が比較的低く、目立たなくなるため、建物全体の外観を損なわない。
【００３１】
次に、図７，図８に基づいて本発明の第３実施形態について説明する。図７は本発明の第３実施形態である換気装置を示す正面図、図８は図７におけるＢ−Ｂ線断面図である。なお、図７，図８において図１〜図５に示す符号と同じ符号を付している部分は、前述した換気装置１０の構成部分と同じ構造、機能を有する部分であり、説明を省略する。
【００３２】
図７，図８に示すように、本実施形態の換気装置１０ｙにおいては、正面パネル１８ｙに開設された二つの吸込口１４の左右両側にそれぞれ板状のガイド部材１４ｙが設けられている。図８に示すように、二つの吸込口１４にそれぞれ一対ずつ設けられたガイド部材１４ｙはこれらの先端部同士の間隔が、吸込口１４の最大水平サイズ１４ｈよりも広がるように配置されている。このようなガイド部材１４ｙを配置したことにより、発生した調理排気が吸込口１４付近に達したとき、ガイド部材１４ｙにより速やかに吸込口１４へ誘導することができるため、排気効率が向上する。
【００３３】
なお、ガイド部材１４ｙは吸込口１４を開閉可能な構造とすることもできる。このような構造とすれば、換気装置１０ｙの使用時のみガイド部材１４ｙを開放し、不使用時はガイド部材１４ｙで吸込口１４を閉止することにより、室内の気密状態を保つことができるため、高気密住宅にも採用可能となり、また、台所への外気の吹き込みなどを防止することができる。
【００３４】
次に、図９に基づいて本発明の第４実施形態について説明する。図９は本発明の第４実施形態である換気装置を示す正面図である。なお、図９において図１〜図５に示す符号と同じ符号を付している部分は、前述した換気装置１０の構成部分と同じ構造、機能を有する部分であり、説明を省略する。
【００３５】
本実施形態の換気装置１０ｚにおいては、正面パネル１８ｚに一つの吸込口１４のみが開設されている。吸込口１４は正面パネル１８ｚの左右方向（水平方向）の中央部分に開設されている。なお、吸込口１４の個数は限定しないので、３個以上開設することも可能であるが、その場合、それぞれの吸込口１４の位置は、電磁調理器１２の加熱部分に対応した位置、例えば、電磁調理器１２の使用者から見て、それぞれの吸込口１４の中心と電磁調理器１２の加熱部分の中心とが概ね前後方向に直線的に並ぶ位置に設けることが望ましい。
【００３６】
次に、図１０に基づいて本発明の第５実施形態について説明する。図１０は本発明の第５実施形態である換気装置を示す正面図である。図１０において図１〜図５に示す符号と同じ符号を付している部分は、前述した換気装置１０の構成部分と同じ構造、機能を有する部分であり、説明を省略する。
【００３７】
図１０に示す換気装置２０においては、壁体１３に開設された正面視形状が長方形の開口部１９ａ内に、開口部１９ａよりも左右方向サイズが小さい正面パネル１８ａを着脱可能に取り付けることにより、正面パネル１８ａの左右にそれぞれ吸込口１４ａが設けられている。吸込口１４ａは縦長の長方形であり、互いに平行をなすように配置されている。本実施形態の場合、正面パネル１８ａに貫通部分を設けることなく、二つの吸込口１４ａを形成することができるため、構造の簡素化を図ることができる。また、正面パネル１８ａは左右方向にスライド移動可能であるため、左右の吸込口１４ａの開口サイズを変更することができる。従って、左右の調理器具１７からの調理排気の状態に応じて左右の吸込口１４ａの開口サイズを設定することができるほか、一つの調理器具１７のみを使用する場合は正面パネル１８ａを開口部１９ａの左右いずれか片側に寄せ、開口部１９ａの右側または左側の一方のみに吸込口１４ａを設定することもできる。
【００３８】
次に、図１１，図１２に基づいて、本発明の第６実施形態について説明する。図１１は本発明の第６実施形態である換気装置を示す垂直断面図、図１２は図１１に示す換気装置の一部拡大図である。なお、図１１，図１２において図１〜図５に示す符号と同じ符号を付している部分は、前述した換気装置１０の構成部分と同じ構造、機能を有する部分であり、説明を省略する。
【００３９】
図１１，図１２に示す換気装置３０においては、建築物１１内に配置された電磁調理器１２正面の壁体１３に開設された吸込口３４と連通する排気経路３５と、排気経路３５の下流に配置された排気装置（図示せず）とを備え、吸込口３４を縦方向に並ぶ上部吸込開口３４ａ，下部吸込開口３４ｂに区画するとともに、上部吸込開口３４ａ，下部吸込開口３４ｂの上端部にそれぞれ調理排気Ｓの上昇を抑制するガイド部材３８ａ，３８ｂを設けている。ガイド部材３８ａの傾斜角度３６ａを６５度、ガイド部材３８ｂの傾斜角度３６ｂを３５度に設定している。
【００４０】
このような構成とすれば、吸込口３４の吸込作用が及ぶ領域に進入してきた調理排気Ｓの上昇をガイド部材３８ａ，３８ｂで抑制しながら、上部吸込開口３４ａ，下部吸込開口３４ｂのいずれかへ誘引することができるため、上昇しながら拡散する性質を有する調理排気Ｓを比較的少ない風量で効率良く換気することができる。また、吸込口３４へ吸い込まれた調理排気Ｓは排気経路３５の下流に配置された排気装置（図示せず）によって速やかに排出されるため、吸込口３４に油分などが貯留し難く、清掃やメンテナンスも容易である。
【００４１】
また、図１２に示すように、下方のガイド部材３８ｂの傾斜角度３６ｂを３５度とし、上方のガイド部材３８ａの傾斜角度３６ａを６５度とすることにより、下方のガイド部材３８ｂの傾斜角度３６ｂを鉛直に近い状態に設定しているため、下部吸込開口３４ｂへの調理排気Ｓの吸込角度Ｒ２は、上部吸込開口３４ａへの調理排気Ｓの吸込角度Ｒ１より鉛直に近い角度となる。従って、調理器具１７から発生した直後の調理排気Ｓが上昇拡散する前に、下部吸込開口３４ｂへ速やかに誘導することができる。このため、比較的少ない風量で効率良く換気することができ、優れた換気効率が得られる。また、図１１に示すように、調理器具１７から発生する調理排気Ｓは、主に、下部吸込開口４４ｂから吸い込まれ、下部吸込開口４４ｂから逸れた調理排気Ｓは上部吸込開口４４ａから吸い込まれる。
【００４２】
さらに、図１２に示すように、下部吸込開口３４ｂの開口面積を上部吸込開口３４ａの開口面積より広くしているため、下部吸込開口３４ｂの吸込作用が及ぶ領域は上部吸込開口３４ａの吸込作用が及ぶ領域よりも広くなっている。従って、調理器具１７から発生した直後の調理排気Ｓ（図１１参照）を極めて効率良く吸い込むことが可能であり、優れた換気効率が得られる。なお、上部吸込開口３４ａ、上部吸込開口３４ａの開口面積は限定しないので均等とすることもできる。
【００４３】
次に、図１３，図１４に基づいて、本発明の第７実施形態について説明する。図１３は本発明の第７実施形態である換気装置を示す斜視図、図１４は図１３に示す換気装置の使用状態を示す側面図、図１５は図１３に示す換気装置を構成するガイド部材の収納機構を示す側面図である。
【００４４】
図１３，図１４に示すように、本実施形態の換気装置４０においては、建築物内に配置された電磁調理器１２正面の壁体１３に開設された吸込口４４を縦方向に並ぶ上部吸込開口４４ａ，下部吸込開口４４ｂに区画するとともに、上部吸込開口４４ａ，下部吸込開口４４ｂの上端部にそれぞれ調理排気の上昇を抑制するガイド部材４８ａ，４８ｂを設けている。ガイド部材４８ａは板材を略コ字形状に折り曲げることによって形成され、ガイド部材４８ｂは平板形状である。ガイド部材４８ａの傾斜角度４６ａは６５度、ガイド部材４８ｂの傾斜角度４６ｂは３５度に設定されている。
【００４５】
調理器具１７から発生する調理排気Ｓは、主に下部吸込開口４４ｂから吸い込まれ、下部吸込開口４４ｂから逸れた調理排気Ｓは上部吸込開口４４ａから吸い込まれる。また、上方に位置するガイド部材４８ａの前縁部４８ａｆは、下方に位置するガイド部材４８ｂの前縁部４８ｂｆよりも調理器具１７方向へ突出しているため、空気中に拡散した油煙を上部吸込開口４４ａへ誘導して効率良く吸い込むことができる。さらに、ガイド部材４８ａの左右両側にはそれぞれガイド部４８ｇが垂下状に形成されているため、拡散した油煙を捕捉し、上部吸込開口４４ａへ誘導することができるほか、横方向への調理排気Ｓの拡散を抑制することができる。
【００４６】
また、図１５に示すように、ガイド部材４８ａ，１８ｂはそれぞれ支軸４８ａｘ，４８ｂｘを中心に矢線方向に回動可能であるため、使用時は図１４に示すように傾斜状態を保ち、不使用時はガイド部材４８ａ，１８ｂを垂下状態に収納することができる。なお、収納時は、ガイド部材４８ｂの正面をガイド部材４８ａが覆うとともに、ガイド部材４８ａが壁体１３と略同一平面をなす状態となる。また、本実施形態においては、ガイド部材４８ａ，１８ｂをそれぞれ支軸４８ａｘ，４８ｂｘを中心に回動させたとき、ガイド部材４８ａの前縁部４８ａｆの移動領域と、ガイド部材４８ｂの前縁部４８ｂｆの移動領域と、が少なくとも下部吸込開口４４ｂの下端部分で略一致するように構成している。
【産業上の利用可能性】
【００４７】
本発明の換気装置は、一般住宅のキッチンや飲食店の厨房などにおいて広く利用することができる。
【図面の簡単な説明】
【００４８】
【図１】本発明の第１実施形態である換気装置を示す正面図である。
【図２】図１におけるＡ−Ａ線断面図である。
【図３】図１に示す換気装置の使用状態を示す正面図である。
【図４】図３に示す換気装置の一部拡大図である。
【図５】図１に示す換気装置の使用状態を示す垂直断面図である。
【図６】本発明の第２実施形態である換気装置の使用状態を示す垂直断面図である。
【図７】本発明の第３実施形態である換気装置を示す正面図である。
【図８】図７におけるＢ−Ｂ線断面図である。
【図９】本発明の第４実施形態である換気装置を示す正面図である。
【図１０】本発明の第５実施形態である換気装置を示す正面図である。
【図１１】本発明の第６実施形態である換気装置を示す垂直断面図である。
【図１２】図１１に示す換気装置の一部拡大図である。
【図１３】本発明の第７実施形態である換気装置を示す斜視図である。
【図１４】図１３に示す換気装置の使用状態を示す側面図である。
【図１５】図１３に示す換気装置を構成するガイド部材の収納機構を示す側面図である。
【符号の説明】
【００４９】
１０，１０ｘ，１０ｙ，１０ｚ，２０，３０，４０  換気装置
１１  建築物
１２  電磁調理器
１２ａ  上面
１３，１３ｘ  壁体
１４，１４ａ，３４，４４  吸込口
１４ｂ  下縁部
１４ｈ  最大水平サイズ
１４ｖ  最大垂直サイズ
１４ｙ，３８ａ，３８ｂ，４８ａ，４８ｂ  ガイド部材
１５，１５ｘ，３５  排気経路
１６  排気装置
１７  調理器具
１８，１８ａ，１８ｙ，１８ｚ  正面パネル
１９，１９ａ  開口部
３４ａ，４４ａ  上部吸込開口
３４ｂ，４４ｂ  下部吸込開口
３６ａ，３６ｂ，４６ａ，４６ｂ  傾斜角度
４８ａｆ，４８ｂｆ  前縁部
４８ｇ  ガイド部
Ｒ１，Ｒ２  吸込角度
Ｓ  調理排気
【図１】
2008051441.tif 000003
【図２】
2008051441.tif 000004
【図３】
2008051441.tif 000005
【図４】
2008051441.tif 000006
【図５】
2008051441.tif 000007
【図６】
2008051441.tif 000008
【図７】
2008051441.tif 000009
【図８】
2008051441.tif 000010
【図９】
2008051441.tif 000011
【図１０】
2008051441.tif 000012
【図１１】
2008051441.tif 000013
【図１２】
2008051441.tif 000014
【図１３】
2008051441.tif 000015
【図１４】
2008051441.tif 000016
【図１５】
2008051441.tif 000017